(57)【要約】      （修正有）【課題】表示領域の所定領域での部分的な指示物体検出においても、表示領域全体の画質に影響を及ぼすこと無く、高精度で指示物体検出を行うことが可能な表示装置および表示方法を提供する。【解決手段】液晶層の駆動によって表示を行なう複数の画素ａを備えた表示パネル１１と、表示パネル１１の表示面を背面側から照明するバックライト１２とを有する。また、画素ａに設けられ表示パネル１１の表示面Ａ側から入射した光の受光を行なう受光素子Ｓを有する。さらにバックライト１２からの照明光ｈが、表示面Ａから放出された状態においての受光素子Ｓでの受光量と、表示面Ａまでの間で遮断された状態においての受光素子Ｓでの受光量との差から、表示面Ａ近傍の画像認識を行なう検出部を有する。【選択図】図３
2010152573.tif 000002
【特許請求の範囲】
【請求項１】
液晶層の駆動によって表示を行なう複数の画素を備えた表示パネルと、
前記表示パネルの表示面を背面側から照明するバックライトと、
前記画素に設けられ前記表示パネルの表示面側から入射した光の受光を行なう受光素子と、
前記バックライトからの照明光が、前記表示面から放出された状態においての前記受光素子での受光量と、当該表示面までの間で遮断された状態においての前記受光素子での受光量との差から、前記表示面近傍の画像認識を行なう検出部とを備えた
表示装置。
【請求項２】
前記画素のうち前記受光素子が設けられた画素は、前記表示パネルの表示領域の周縁に設けられた
請求項１に記載の表示装置。
【請求項３】
前記照明光が放出された状態と遮断された状態とを、前記液晶層の駆動によって実行する制御部を有する
請求項１または２記載の表示装置。
【請求項４】
前記受光素子を設けた画素のうち、前記照明光が放出される画素と遮断される画素とが個別に設定された
請求項１〜３の何れかに記載の表示装置。
【請求項５】
前記照明光が放出される画素と遮断される画素とが近接して配置された
請求項４記載の表示装置。
【請求項６】
前記照明光が放出された状態と遮断された状態とを、前記液晶層の駆動によって前記画素のうちの１つの画素において連続して実行する制御部を有する
請求項１〜３の何れかに記載の表示装置。
【請求項７】
前記画素には２つの受光素子が設けられ、
前記２つの受光素子のうちの一方には前記バックライト側に遮光膜が設けられている
請求項１または２に記載の表示装置。
【請求項８】
前記画素のうち前記受光素子が設けられた画素が、前記表示パネルの一部に設けられた
請求項１〜７の何れかに記載の表示装置。
【請求項９】
液晶層の駆動によって表示を行なう複数の画素と当該画素に設けた受光素子とを有する表示パネルの表示面を、バックライトによって背面側から照明しておき、
前記バックライトからの照明光が前記表示面から放出された状態において前記受光素子で受光された受光量と、当該バックライトからの照明光が当該表示面までの間で遮断された状態において当該受光素子で受光された受光量との差から、当該表示面近傍の画像認識を行なう
表示方法。
【発明の詳細な説明】
【技術分野】
【０００１】
本発明は表示装置に関し、特には受光素子を用いた画像入力機能付きの表示装置、および表示方法に関する。
【背景技術】
【０００２】
表示画面に近接する物体を認識するための入力機能付きの表示装置としては、例えば表示画素に隣接して受光素子を設けた構成が提案されている。このような構成の表示装置においては、外部環境の変化や装置の内部構成に起因するノイズが、物体の認識精度に対して大きな影響を与える。例えば、携帯用の電子機器は、屋内での使用時と屋外での使用時とで、外光に起因するノイズレベルが大きく異なり、使用条件によっては画面に近接する物体を認識できない場合がある。
【０００３】
そこで、バックライトを備えた液晶表示装置においては、１フレーム期間内にバックライトをオンにする期間とオフにする期間とを設けて２回の信号読み出しを行ない、その差分を２値化することによって表示画面に近接する物体を認識する方法が提案されている（例えば下記特許文献１，２参照）。
【０００４】
【特許文献１】特許第４０７２７３２号公報（例えば段落００７０〜００７２）
【特許文献２】特開２００６−２７６２２３号公報（例えば段落００２４〜００３１）
【発明の開示】
【発明が解決しようとする課題】
【０００５】
しかしながら上述したようなバックライトをオン／オフさせる方式では、表示領域全体の輝度低下が生じる。これを改善するためには、コストおよび消費電力が増大する。また、表示領域全体の明滅であるため、フィリッカーの発生など画質への影響を免れない。
【０００６】
そこで本発明は、表示領域における所定領域での部分的な画像検出においても表示領域全体の画質に影響を及ぼすこと無く、高精度で物体検出を行うことが可能な表示装置および表示方法を提供することを目的とする。
【課題を解決するための手段】
【０００７】
このような目的を達成するための本発明の表示装置は、液晶層の駆動によって表示を行なう複数の画素を備えた表示パネルと、表示パネルの表示面を背面側から照明するバックライトとを備えている。また画素には、表示パネルの表示面側から入射した光の受光を行なう受光素子が設けられている。そして特に、バックライトからの照明光が、前記表示面から放出された状態においての前記受光素子での受光量と、当該表示面までの間で遮断された状態においての前記受光素子での受光量との差から、前記表示面近傍の画像認識を行なう検出部を有している。
【０００８】
本発明の表示方法は次のように行なう。先ず、液晶層の駆動によって表示を行なう複数の画素と当該画素に設けた受光素子とを有する表示パネルの表示面を、バックライトによって背面側から照明しておく。この状態で、バックライトからの照明光が前記表示面から放出された状態において前記受光素子で受光された受光量と、当該バックライトからの照明光が当該表示面までの間で遮断された状態において当該受光素子で受光された受光量との差を得る。そしてこの差から、当該表示面近傍の画像認識を行なう。
【０００９】
このような表示装置および表示方法によれば、バックライトを点滅させることなく、外部環境の変化や装置の内部構成に起因するノイズを差し引いた受光量によって表示面近傍の画像認識が行われる。
【発明の効果】
【００１０】
以上のように本発明の表示装置および表示方法によれば、バックライトを点滅させることなく、外部環境の変化や装置の内部構成に起因するノイズを差し引いた受光量によって表示面近傍の画像認識を行うことが可能である。このため、表示領域全体の輝度低下やフィリッカーの発生を防止しつつも、高精度で物体検出を行うことが可能になる。
【発明を実施するための最良の形態】
【００１１】
以下、本発明の各実施の形態を以下の順序で説明する。
１．第１実施形態（画素毎に液晶駆動によって白表示と黒表示とを行なう空間分割例）
２．第２実施形態（受光素子の一部に遮光膜を設けた空間分割例）
３．第３実施形態（第１実施形態と第２実施形態とを組み合わせた例）
４．第４実施形態（１つの画素で白表示と黒表示を行なう時間分割例）
【００１２】
＜１．第１実施形態＞
本第１実施形態においては、画素毎に液晶駆動によって白表示と黒表示とを行なう空間分割により、表示面においての画像検出を行う例を説明する。
【００１３】
［表示装置の全体構成］
図１は、第１実施形態が適用される表示装置の構成例を示すブロック図である。また図２（Ａ）には表示パネルの概略平面図を示し、図２（Ｂ）には図２（Ａ）の要部拡大図を示す。これらの図に示す表示装置１は、表示パネル１１と、バックライト１２と、表示ドライブ回路１３と、受光ドライブ回路１４と、画像処理部１５と、アプリケーションプログラム実行部１６とを備えている。
【００１４】
表示パネル１１は、中央の表示領域１１ａに複数の画素が全面に渡ってマトリクス状に配置された液晶パネル（ＬＣＤ（Liquid Crystal Display））からなり、線順次動作をしながら表示データに基づく所定の図形や文字などの画像を表示する機能を有する。このような表示パネル１１においては、有効表示領域である表示領域１１ａの外周縁が遮光膜１１ｂで覆われている。また、表示領域１１ａ内の縁部には、例えば表示領域１１ａにおいての表示を切り替えるための複数の操作表示部１１ｃが設定されている。各操作表示部１１ｃには、各画素に設けた画素回路の駆動によって操作内容が表示される構成となっている。
【００１５】
そして特に、操作表示部１１ｃの近傍には、例えば表示領域１１ａを囲む遮光部１１ｂを開口させた部分に、センサー領域１１ｄ-1が設けられている。このセンサー領域１１ｄ-1は、操作表示部１１ｃの表面に接触または近接する物体(例えば、指）を検知するための領域である。このセンサー領域１１ｄ-1には、例えば表示領域１１ａと同様か、またはさらに白黒表示のみの切り替えが行なわれるように簡素化された画素回路を備えた画素が設定されている。そして、各画素内には受光素子を備えた受光回路が設けられているところが特徴的である。尚、センサー領域１１ｄ-1の構成は、以降の詳細に説明する。
【００１６】
また、バックライト１２は、表示パネル１１における表示領域１１ａの全面およびセンサー領域１１ｄ-1に対して照明光を供給するための光源であり、例えば複数の発光ダイオードを面内に配列してなる。
【００１７】
次に表示ドライブ回路１３は、表示パネル１１の表示領域１１ａ（操作表示部１１ｃを含む）において表示データに基づく画像が表示されるように、この表示パネル１１に設けた画素の駆動を行う回路である。また、この表示ドライブ回路１３は、表示パネル１１のセンサー領域１１ｄ-1に設けた画素の駆動も行なう。尚、表示ドライブ回路１３においての表示パネル１１の駆動制御の詳細は、以降に詳細に説明する。
【００１８】
受光ドライブ回路１４は、表示パネル１１のセンサー領域１１ｄ-1において受光データが得られるように、この表示パネル１１の駆動を行う回路である。これと共に、表示パネル１１のセンサー領域１１ｄ-1から入力された受光データが、この受光ドライブ回路１４に出力されて、例えばフレーム単位でフレームメモリ１４ａに蓄積されるようになっている。
【００１９】
画像処理部１５は、受光ドライブ回路１４に記憶された受光データに基づいて所定の画像処理（演算処理）を行い、表示パネル１１に接触または近接する物体に関する情報（位置座標、物体の形状や大きさに関するデータなど）を解析して検出するものである。この画像処理部１５においての画像処理は、以降に詳細に説明する。
【００２０】
アプリケーションプログラム実行部１６は、画像処理部１５においての検出結果に基づいて所定のアプリケーションソフトに応じた処理を実行するものである。ここでの処理の一例としては、例えば検知した物体の位置座標を表示データに含むようにし、表示パネル１１においての表示を切り替える処理などが挙げられる。尚、このアプリケーションプログラム実行部１６で生成される表示データは表示ドライブ回路１３へ供給されるようになっている。このようなアプリケーションプログラム実行部１６においての表示パネル１１の駆動制御の詳細は、以降に詳細に説明する。
【００２１】
［表示パネルの断面構成］
図３（１）および図３（２）には、第１実施形態の表示パネル１１の断面構成として、代表的にセンサー領域１１ｄ-1の断面構成を示す２画素分の断面図を示す。先ず、これらの図に基づいて表示パネル１１の断面構成を説明する。
【００２２】
これらの図に示すように、表示パネル１１は、光透過性材料からなる第１基板２１と第２基板２２との間に、液晶層ＬＣを挟持してなる。第１基板２１の液晶層ＬＣ側の各画素ａには、スイッチング用の薄膜トランジスタＴｒを有する画素回路が設けられている。また、特にセンサー領域１１ｄ-1の各画素ａには、薄膜トランジスタＴｒを有する画素回路と同一層に、受光素子Ｓを備えた受光回路が設けられている。
【００２３】
これらの薄膜トランジスタＴｒ（画素回路）および受光素子Ｓ（受光回路）は、絶縁膜２３で覆われている。そしてこの絶縁膜２３上の各画素ａに、薄膜トランジスタＴｒに接続された画素電極２５が配列形成され、ここでの図示を省略した配向膜で表面が覆われた構成となっている。
【００２４】
一方、第２基板２２の液晶層ＬＣ側には、ここでの図示を省略したカラーフィルタおよびブラックマトリックスを介して共通電極２７が設けられ、さらにこの共通電極２７を覆う状態で配向膜（図示省略）が設けられている。
【００２５】
また第１基板２１の外側には偏光子２９となる偏光板が配置され、第２基板２２の外側には検光子３１となる偏光板が配置されて表示パネル１１が構成されている。このような表示パネル１１においては検光子３１側が表示面Ａとなり、偏光子２９に向かい合わせてバックライト１２が配置された構成となる。
【００２６】
以上のような表示パネル１１においては、図３（１）に示すように、バックライト１２からの照明光ｈが、偏光子２９を通過し、さらに画素電極２５の駆動によって所定状態に配向した液晶層ＬＣを通過して所定の偏光状態となる。このうち、検光子３１を透過するように照明光ｈが偏光された画素ａ（Ｗ）のみにおいて、照明光ｈが表示パネル１１から放出されて白表示（Ｗ）が行われる。一方、その他の画素ａ（Ｂ）においては、照明光ｈが検光子３１で吸収されて黒表示（Ｂ）が行われる。
【００２７】
そして特に、受光素子Ｓが設けられているセンサー領域１１ｄ-1では、図３（２）に示すように、表示パネル１１の表示面側（検光子３１側）に体Ｐが近接すると、画素ａ（Ｗ）において検光子３１を通過した照明光ｈが物体Ｐで反射して受光素子Ｓで受光される。
【００２８】
尚、表示パネル１１における表示領域（１１ａ）の画素構成は、センサー領域１１ｄ-1の画素構成と同様であっても良く、またセンサー領域１１ｄ-1の画素構成において受光素子Ｓ（受光回路）を設けていない構成であっても良い。さらに表示領域１１ａ内に受光素子Ｓ（受光回路）を設ける場合には、各画素ａに受光素子Ｓ（受光回路）を設ける必要はなく、必要個所のみに受光素子Ｓ（受光回路）を配置すれば良い。
【００２９】
［表示パネルの回路構成］
図４には、上述した表示パネル（１１）内の各画素ａに配置される画素回路４１、および表示パネル（１１）のセンサー領域１１ｄ-1内に配置される受光回路４２の例を示す。尚、図３に示した構成要素と同一の構成要素には、同一の符号を付している。
【００３０】
このうち各画素ａに設けられた画素回路４１は、水平方向に延設された複数の表示選択線４１ａと、垂直方向に延設された複数の表示信号線４１ｂとの各交差部に、上述した薄膜トランジスタＴｒが設けられた構成となっている。各薄膜トランジスタＴｒは、各画素ａにおける画素回路のスイッチング用として設けられている。
【００３１】
薄膜トランジスタＴｒは、ゲートが走査線４１ａに接続され、ソース／ドレインの一方が信号線４１ｂに接続され、ソース／ドレインの他方が画素電極２５に接続されている。また、画素電極２５との間に液晶層（ＬＣ）を挟持する状態で設けられる共通電極２７は、共通電源４１ｃに接続されている。
【００３２】
これにより、走査線４１ａを介して供給される駆動信号に基づいて薄膜トランジスタＴｒをオン・オフ動作させる。そして、オン状態のときに信号線４１ｂから供給される表示信号に基づいて画素電極２５に画素電圧を印加し、画素電極２５と共通電極２７との間の電界によって液晶層（ＬＣ）が駆動される構成となっている。
【００３３】
一方、センサー領域（１１ｄ）に配置される受光回路４２は、近接する２つの画素ａで1つの回路を共有する状態で設けられているところが特徴的である。この受光回路４２は、例えば水平方向に延設された各電源線４２ａに、２つの受光素子Ｓ，Ｓを直列に接続させている。これらの受光素子Ｓ，Ｓは、先の図３に示したように近接する２つの画素ａ内に配置されたものであることとする。
【００３４】
そして、直列に接続された２つの受光素子Ｓ間には、リセットスイッチＳＷ１と容量素子Ｃｓとが接続され、さらにアンプＡｍｐを介して読み出しスイッチＳＷ２が接続されている。これにより、リセットスイッチＳＷ１でリセットされた後、２つの受光素子Ｓで光電変換された電荷に比例した電圧の差分が受光データとして、読み出しスイッチＳＷ２がオンとなるタイミングで、アンプＡｍｐを介して外部に出力される構成となっている。出力された受光データは、先に説明した受光ドライブ回路（１４）に出力されて蓄積され、画像処理部（１５）において表示パネル（１１）の表示面に接触または近接する物体に関する情報の検出に用いられる。
【００３５】
尚、表示パネル１１における表示領域１１ａ内に受光回路を設ける場合、この受光回路はセンサー領域１１ｄ-1の受光回路４２と同じ構成であっても良いし、受光素子を１つのみ有する構成の受光回路であっても良い。
【００３６】
［表示パネルの駆動方法］
以上のような構成の表示パネル１１の駆動方法を、図３に基づいて説明する。
【００３７】
先ず、表示ドライブ回路（図１参照）からの表示データに基づいて、バックライト１２をオンの状態としておく。
【００３８】
そして、表示パネル１１の表示領域（１１ａ）においては、各画素ａの画素回路を駆動することで、画素電極２５のオン・オフによって液晶層ＬＣを所定状態に配向させて表示データに基づく表示を行なう。この際、先に説明したように、検光子３１を透過するようにバックライト１２からの照明光ｈを偏光させた画素ａ（Ｗ）において、照明光ｈを表示パネル１１から放出させて白表示（Ｗ）を行なう。一方、その他の画素ａ（Ｂ）においては照明光ｈを検光子３１で吸収させて黒表示（Ｂ）を行う。
【００３９】
また、表示パネル１１のセンサー領域１１ｄ-1においては、受光回路４２を共有している２つの画素ａのうちの一方の画素ａ（Ｗ）を常時白表示（Ｗ）させておき、他方の画素ａ（Ｂ）を常時黒表示（Ｂ）させておくところが特徴的である。尚、これらの２つの画素ａ（Ｗ），ａ（Ｂ）は、走査線４１ａを共有する画素に限定されることはない。
【００４０】
これにより、図３（１）に示しように、常時白表示（Ｗ）とした画素ａ（Ｗ）では、バックライト１２からの照明光ｈを、表示面Ａから放出せておく。また常時黒表示（Ｂ）とした画素ａ（Ｂ）では、バックライト１２からの照明光ｈを検光子３１で吸収させて遮断しておく。そして、照明光ｈが放出される画素ａ（Ｗ）と遮断される画素ａ（Ｂ）とが個別に設定された状態で、近接して配置された状態としておく。
【００４１】
以上のような表示パネル１１における液晶層の駆動制御は、図１に示した表示ドライブ回路１３およびアプリケーションプログラム実行部１６を制御部として実行される。
【００４２】
［表示パネルにおける物体の検知］
以上のような構成の表示パネル１１においての物体Ｐの検知を、図３と共に図５に基づいて説明する。尚、図５は、センサー領域１１ｄ-1内における画素ａ（Ｗ）および画素ａ（Ｂ）内の各受光素子Ｓで受光される信号強度Ｌと、これの差分から得られた二値化データのグラフである。
【００４３】
先ず、図３（１）および図５（１）に示すように、表示パネル１１の表示面Ａに画像を表示しているだけの通常状態は以下のようになる。
【００４４】
すなわち、センサー領域１１ｄ-1の画素ａ（Ｗ）では、バックライト１２からの照明光ｈが表示面Ａから放出された状態となっている。このため、画素ａ（Ｗ）の受光素子Ｓでは、表示面Ａ側から表示パネル１１内に浸入した『外光Ｈ』、および表示パネル１１内において『散乱した照明光ｈ』が受光される。
【００４５】
一方、センサー領域１１ｄ-1の画素ａ（Ｂ）では、バックライト１２からの照明光ｈが検光子３１で吸収されて遮断された状態となっている。このため、画素ａ（Ｂ）の受光素子Ｓでは、表示パネル１１内に侵入した『外光Ｈ』、および表示パネル１１内において『散乱した照明光ｈ』が受光素子Ｓで受光される。ただし、画素ａ（Ｂ）においては、照明光ｈが検光子３１において吸収されるため、この吸収分だけ受光素子Ｓでの受光光量が少なくなる。
【００４６】
これにより、センサー領域１１ｄ-1の画素ａ（Ｗ），ａ（Ｂ）における２つの受光素子Ｓ，Ｓで光電変換され、受光回路（４２：図４参照）で合成された差分の受光データは、『外光Ｈ』や『照明光ｈの散乱』といった大部分のノイズ成分が除去された値となる。したがって、このようにノイズ成分が除去された受光データを、適切に設定された標準閾値に対して二値化することにより、センサー領域１１ｄ-1の画素ａ（Ｗ），ａ（Ｂ）に近接して物体Ｐが存在しない、と高精度に判断することができる。
【００４７】
次に、図３（２）および図５（２）に示すように、表示パネル１１の表示面Ａにおける操作表示部１１ｃに指やペン先などの物体Ｐを近接させた操作状態では、操作表示部１１ｃに近接配置されたセンサー領域１１ｄ-1にも物体Ｐが近接されて以下のようになる。
【００４８】
すなわち、センサー領域１１ｄ-1の画素ａ（Ｗ）では、バックライト１２からの照明光ｈは表示面Ａから放出されて物体Ｐで反射し、表示面Ａ側からの外光Ｈは物体Ｐで遮断される。このため、画素ａ（Ｗ）の受光素子Ｓでは、『物体Ｐで反射した照明光ｈ』、および表示パネル１１内において『散乱した照明光ｈ』が受光される。
【００４９】
一方、センサー領域１１ｄ-1の画素ａ（Ｂ）では、バックライト１２からの照明光ｈが検光子３１で吸収されて遮断され、表示面Ａ側からの外光Ｈも物体Ｐで遮断される。このため、画素ａ（Ｂ）の受光素子Ｓでは、表示パネル１１内において『散乱した照明光ｈ』が受光される。
【００５０】
これにより、センサー領域１１ｄ-1の画素ａ（Ｗ），ａ（Ｂ）における２つの受光素子Ｓで光電変換され、受光回路（４２：図４参照）で合成された差分の受光データは、大部分のノイズ成分が除去されて主に『物体Ｐで反射した照明い光ｈ』に起因する値となる。したがって、このようにノイズ成分が除去された受光データを、適切に設定された標準閾値に対して二値化することにより、センサー領域１１ｄ-1の画素ａ（Ｗ），ａ（Ｂ）に近接して物体Ｐが存在する、と高精度に判断することができる。
【００５１】
以上のような受光回路（４２：図４参照）で合成された差分の受光データ（電圧の差分）を標準閾値に対して二値化する処理などは、画像処理部（１５：図１参照）において実行される。このため、受光回路４２、受光ドライブ回路（１４）、および画像処理部（１５）が、２つの異なる状態に配置された各受光素子Ｓでの受光データの差分に基づいて、表示面近傍の画像認識を行なうための検出部となる。
【００５２】
以上説明したように、本第１実施形態によれば、バックライト１２を点滅させることなく、外部環境の変化や装置の内部構成に起因するノイズを差し引いた受光量によって表示面近傍の画像認識を行なうことが可能である。このため、表示領域１１ａ全体の輝度低下やフィリッカーの発生を防止しつつも、高精度に物体Ｐの検出を行うことが可能になる。
【００５３】
＜２．第２実施形態＞
本第２実施形態においては、受光素子の一部に遮光膜を設けて白表示と黒表示とを行なう空間分割により、表示面においての画像検出を行う例を説明する。
【００５４】
［表示装置の全体構成］
第２実施形態が適用される表示装置の全体的な構成は、第１実施形態において図１のブロック図および図２の概略平面図を用いて説明したと同様である。ただし、表示パネル１１のセンサー領域１１ｄ-2における一部の受光素子に対して遮光膜を設けた構成とするところが第１実施形態とは異なる。このような第１実施形態とは異なる要素について、以下に詳細に説明する。
【００５５】
［表示パネルの断面構成］
図６（１）および図６（２）には、第２実施形態の表示パネル１１の断面構成として、代表的にセンサー領域１１ｄ-2の断面構成を示す１画素分の断面図を示す。これらの図に示す第２実施形態の表示パネル１１の断面構成が、第１実施形態の表示パネルと異なるところは、センサー領域１１ｄ-2における各画素ａ内に２つの受光素子Ｓ，Ｓ’が配置され、一方の受光素子Ｓ’に遮光膜３５を設けたところにある。他の断面構成部分は、第１実施形態と同様であるため、詳細な説明を省略する。
【００５６】
この遮光膜３５は、表示パネル１１において受光素子Ｓ’よりもバックライト１２側に設けられていることとする。また好ましくは、バックライト１２からの照明光ｈの反射が発光素子Ｓ’に照射され難いように、第１基板２１と受光素子Ｓ’との間にある程度の広さをもって配置されていることとする。ただし、この遮光膜３５は、画素ａ内に配置されるもう一方の発光素子Ｓに対して、照明光ｈが反射して入射することを疎外しない位置に設けられることが重要である。
【００５７】
尚、表示パネル１１における表示領域１１ａの画素構成は、センサー領域１１ｄ-2の画素構成と同様であっても良く、またセンサー領域１１ｄ-2の画素構成において受光素子Ｓ，Ｓ’（受光回路）を設けていない構成であっても良い。
【００５８】
［表示パネルの回路構成］
図７には、上述した表示パネル（１１）内の各画素ａに配置される画素回路４１、および表示パネル（１１）のセンサー領域１１ｄ-2内に配置される受光回路４２’の例を示す。尚、図６に示した構成要素と同一の構成要素には、同一の符号を付している。
【００５９】
この図に示す第２実施形態における表示パネル（１１）におけるセンサー領域１１ｄ-2の回路が、第１実施形態の回路と異なるところは、１つの画素ａに対応して２つの発光素子Ｓ，Ｓ’を設けた受光回路４２’が設けられているところにある。他の構成は第１実施形態と同様である。ただし、受光回路４２'を構成する発光素子Ｓ，Ｓ’のうちの一方の発光素子Ｓ’は、図６に示した遮光膜（３５）で覆われたものである。
【００６０】
［表示パネルの駆動方法］
以上のような構成の第２実施形態の表示パネル１１の駆動方法を、図６に基づいて説明する。尚、表示領域１１ａに配置された画素の駆動は、第１実施形態と同様であるため、ここでの説明は省略する。
【００６１】
この図に示す第２実施形態における表示パネル１１の駆動方法が、第１実施形態の表示パネルの駆動方法と異なるところは、センサー領域１１ｄ-2に設けられた画素ａの全てを常時白表示（Ｗ）させておくところにある。
【００６２】
これにより、図６（１）に示しように、センサー領域１１ｄ-2の各画素ａでは、バックライト１２からの照明光ｈを、表示面Ａから放出せておく。
【００６３】
以上のような表示パネル１１における液晶層の駆動制御は、表示ドライブ回路１３およびアプリケーションプログラム実行部１６を制御部として実行される。
【００６４】
［表示パネルにおける物体の検知］
以上のような第２実施形態の表示パネル１１においての物体Ｐの検知を、図６と共に図８に基づいて説明する。尚、図８は、センサー領域１１ｄ-2内における各画素ａの受光素子Ｓおよび受光素子Ｓ’で受光される各信号強度Ｌと、これの差分から得られた二値化データのグラフである。
【００６５】
先ず、図６（１）および図８（１）に示すように、表示パネル１１の表示面Ａに画像を表示しているだけの通常状態は以下のようになる。
【００６６】
すなわち、センサー領域１１ｄ-2における画素ａでは、バックライト１２からの照明光ｈが表示面Ａから放出された状態となっている。このため、画素ａの受光素子Ｓでは、表示面Ａ側から表示パネル１１内に侵入した『外光Ｈ』、および表示パネル１１内において『散乱した照明光ｈ』が受光される。
【００６７】
また画素ａの受光素子Ｓ’では、バックライト１２からの照明光ｈが遮光膜３５で遮断された状態となっているが、この受光素子Ｓ’においても同様に表示パネル１１内に侵入した『外光Ｈ』が受光される。
【００６８】
これにより、センサー領域１１ｄ-2内の１つの画素ａに設けられた２つの受光素子Ｓ，Ｓ’で光電変換され、受光回路（４２’：図７参照）で合成された差分の受光データは、ノイズ成分として侵入した『外光Ｈ』が除去された値となる。したがって、このようにノイズ成分が除去された受光データを、適切に設定された標準閾値に対して二値化することにより、センサー領域１１ｄ-2の画素ａに近接して物体Ｐが存在しない、と高精度に判断することができる。
【００６９】
次に、図６（２）および図８（２）に示すように、表示パネル１１の表示面Ａにおける操作表示部１１ｃに指やペン先などの物体Ｐを近接させた操作状態では、操作表示部１１ｃに近接配置されたセンサー領域１１ｄ-2にも物体Ｐが近接されて以下のようになる。
【００７０】
すなわち、センサー領域１１ｄ-2の画素ａでは、バックライト１２からの照明光ｈは表示面Ａから放出されて物体Ｐで反射し、表示面Ａ側からの外光Ｈは物体Ｐで遮断される。このため、画素ａの受光素子Ｓでは、『物体Ｐで反射した照明光ｈ』、および表示パネル１１内において『散乱した照明光ｈ』が受光される。
【００７１】
一方、画素ａの受光素子Ｓ’では、バックライト１２からの照明光ｈが遮光膜３５で遮断され、表示面Ａ側からの外光Ｈも物体Ｐで遮断される。
【００７２】
これにより、センサー領域１１ｄ-2内の画素ａに設けられた２つの受光素子Ｓ，Ｓ’で光電変換され、受光回路（４２’：図７参照）で合成された差分の受光データは、『外光Ｈ』によるノイズ成分が除去されて『物体Ｐで反射した照明光ｈ』に起因する値となる。したがって、このようにノイズ成分が除去された受光データを、適切に設定された標準閾値に対して二値化することにより、センサー領域１１ｄ-2の画素ａに近接して物体Ｐが存在する、と高精度に判断することができる。
【００７３】
以上のような受光回路（４２’：図７参照）で合成された差分の受光データ（電圧の差分）を標準閾値に対して二値化する処理などは、画像処理部（１５：図１参照）において実行される。このため、受光回路４２’、受光ドライブ回路（１４）、および画像処理部（１５）が、２つの異なる状態に配置された各受光素子Ｓでの受光データの差分に基づいて、表示面近傍の画像認識を行なうための検出部となる。
【００７４】
以上説明したように、本第２実施形態の構成であっても、バックライト１２を点滅させることなく、外部環境の変化や装置の内部構成に起因するノイズを差し引いた受光量によって表示面近傍の画像認識を行なうことが可能である。このため、第１実施形態と同様に、表示領域１１ａ全体の輝度低下やフィリッカーの発生を防止しつつも、高精度に物体Ｐの検出を行うことが可能になる。
【００７５】
＜３．第３実施形態＞
本第３実施形態においては、第１実施形態と第２実施形態とを組み合わせて表示面においての画像検出を行なう例を説明する。
【００７６】
［表示装置の全体構成］
第３実施形態が適用される表示装置の全体的な構成は、第１実施形態において図１のブロック図および図２の概略平面図を用いて説明したと同様である。また、表示パネル１１のセンサー領域１１ｄ-3における一部の受光素子に対して遮光膜を設けた構成とするところは、第２実施形態と同様である。以下、第３実施形態の特徴的な要素について以下に詳細に説明する。
【００７７】
［表示パネルの断面構成］
図９（１）および図９（２）には、第３実施形態の表示パネル１１の断面構成として、代表的にセンサー領域１１ｄ-3の断面構成を示す２画素分の断面図を示す。これらの図に示す第３実施形態の表示パネル１１の断面構成は、第２実施形態の表示パネルと同様であり、センサー領域１１ｄにおける各画素ａ内に２つの受光素子Ｓ，Ｓ’が配置され、一方の受光素子Ｓ’に遮光膜３５を設けたところにある。他の断面構成部分は、第２実施形態と同様であるため、詳細な説明を省略する。
【００７８】
［表示パネルの回路構成］
図１０には、上述した表示パネル（１１）内の各画素ａに配置される画素回路４１、および表示パネル（１１）のセンサー領域１１ｄ-3内に配置される受光回路４２’の例を示す。尚、図９に示した構成要素と同一の構成要素には、同一の符号を付している。
【００７９】
この図に示す第３実施形態における表示パネル（１１）の回路は、第２実施形態と同様であって、１つの画素ａに対応して２つの発光素子Ｓ，Ｓ’を設けた1つの受光回路４２’が設けられている。これらの発光素子Ｓ，Ｓ’のうちの一方の発光素子Ｓ’は、図９に示した遮光膜（３５）で覆われたものである。
【００８０】
［表示パネルの駆動方法］
以上のような第３実施形態の表示パネル１１の駆動方法を、図９および図1０に基づいて説明する。表示領域１１ａに配置された画素の駆動は、第１実施形態と同様であるため、ここでの説明は省略する。
【００８１】
これらの図に示す表示パネル１１の駆動方法は、センサー領域１１ｄ-3に設けられた画素ａのうち、近接した配置された２つの画素ａの一方の画素ａ（Ｗ）を常時白表示（Ｗ）させ、他方の画素ａ（Ｂ）を常時黒表示（Ｂ）させておくところが特徴的である。尚、近接する２つの画素ａ（Ｗ），ａ（Ｂ）は、走査線４１ａを共有する画素に限定されることはない。
【００８２】
これにより、図９（１）に示しように、常時白表示（Ｗ）とした画素ａ（Ｗ）では、バックライト１２からの照明光ｈを、表示面Ａから放出せておく。また常時黒表示（Ｂ）とした画素ａ（Ｂ）では、バックライト１２からの照明光ｈを検光子３１で吸収させて遮断しておく。そして、照明光ｈが放出される画素ａ（Ｗ）と遮断される画素ａ（Ｂ）とが個別に設定された状態で、近接して配置された状態としておく。
【００８３】
以上のような表示パネル１１における液晶層の駆動制御は、図１に示した表示ドライブ回路１３およびアプリケーションプログラム実行部１６を制御部として実行される。
【００８４】
［表示パネルにおける物体の検知］
以上のような第３実施形態の表示パネル１１においての物体Ｐの検知を、図９と共に図１１に基づいて説明する。尚、図１１は、センサー領域１１ｄ-3内における各画素ａ（Ｗ），ａ（Ｂ）の受光素子Ｓおよび受光素子Ｓ’で受光されて合成された信号強度Ｌと、これの差分から得られた二値化データのグラフである。
【００８５】
先ず、図９（１）および図１１（１）に示すように、表示パネル１１の表示面Ａに画像を表示しているだけの通常状態は以下のようになる。
【００８６】
すなわち、センサー領域１１ｄ-3における画素ａ（Ｗ）では、バックライト１２からの照明光ｈが表示面Ａから放出された状態となっている。このため、第２実施形態と同様に、画素ａ（Ｗ）に設けられた受光素子Ｓでは、表示面Ａ側から表示パネル１１内に侵入した『外光Ｈ』、および表示パネル１１内において『散乱した照明光ｈ』が受光される。また、遮光膜を設けた受光素子Ｓ’では、『外光Ｈ』が受光される。したがって、これらの受光素子Ｓ，Ｓ’で光電変換され、受光回路（４２’：図１０参照）で合成された差分の受光データは、ノイズ成分として『外光Ｈ』が除去された値となる。
【００８７】
一方、センサー領域１１ｄ-3における画素ａ（Ｂ）では、バックライト１２からの照明光ｈが検光子３１で吸収されて遮断された状態となっている。このため、画素ａ（Ｂ）の受光素子Ｓでは、表示面Ａ側から表示パネル１１内に侵入した『外光Ｈ』、および表示パネル１１内において『散乱した照明光ｈ』が受光される。ただし、画素ａ（Ｂ）においては、照明光ｈが検光子３１において吸収されるため、画素ａ（Ｂ）の受光素子Ｓでは、画素ａ（Ｗ）と比較して散乱光が少なくこの分だけ受光光量が少なくなる。また画素ａ（Ｂ）の受光素子Ｓ’においは、表示パネル１１内に侵入した『外光Ｈ』が受光される。
【００８８】
これにより、画素ａ（Ｂ）に設けられた２つの受光素子Ｓ，Ｓ’で光電変換され、受光回路（４２’：図１０参照）で合成された差分の受光データは、侵入した『外光Ｈ』といった大部分のノイズ成分が除去された値となる。
【００８９】
そして、本第３実施形態においては、画素ａ（Ｗ）で合成された受光データと、画素ａ（Ｂ）で合成された受光データとを、さらに受光ドライブ回路に出力して合成し、適切に設定された標準閾値に対して二値化する。これにより、センサー領域１１ｄ-3の画素ａ（Ｗ），ａ（Ｂ）に近接して物体Ｐが存在しない、と高精度に判断することができる。
【００９０】
次に、図９（２）および図１１（２）に示すように、表示パネル１１の表示面Ａにおける操作表示部１１ｃに指やペン先などの物体Ｐを近接させた操作状態では、操作表示部１１ｃに近接配置されたセンサー領域１１ｄ-3にも物体Ｐが近接されて以下のようになる。
【００９１】
すなわち、センサー領域１１ｄ-3の画素ａ（Ｗ）では、バックライト１２からの照明光ｈは表示面Ａから放出されて物体Ｐで反射し、表示面Ａ側からの外光Ｈは物体Ｐで遮断される。このため、画素ａの受光素子Ｓでは、『物体Ｐで反射した照明光ｈ』、および表示パネル１１内において『散乱した照明光ｈ』が受光される。また受光素子Ｓ’では、バックライト１２からの照明光ｈが遮光膜３５で遮断され、表示面Ａ側からの外光Ｈも物体Ｐで遮断される。
【００９２】
これにより、画素ａ（Ｗ）に設けられた２つの受光素子Ｓ，Ｓ’で光電変換され、受光回路（４２’：図１０参照）で合成された差分の受光データは、主に『物体Ｐで反射した照明光ｈ』に起因する値となる。
【００９３】
一方、センサー領域１１ｄ-3の画素ａ（Ｂ）では、バックライト１２からの照明光ｈが検光子３１で吸収されて遮断され、表示面Ａ側からの外光Ｈも物体Ｐで遮断される。このため、画素ａ（Ｂ）の受光素子Ｓでは表示パネル１１内において『散乱した照明光ｈ』が受光され、受光素子Ｓ’では受光されない。
【００９４】
これにより、画素ａ（Ｂ）に設けられた２つの受光素子Ｓ，Ｓ’で光電変換され、受光回路（４２’：図１０参照）で合成された差分の受光データは、わずかに表示パネル１１内において『散乱した照明光ｈ』のみに起因する値となる。
【００９５】
そして、本第３実施形態においては、画素ａ（Ｗ）で合成された受光データと、画素ａ（Ｂ）で合成された受光データとを、さらに受光ドライブ回路に出力して合成し、適切に設定された標準閾値に対して二値化する。これにより、センサー領域１１ｄ-2の画素ａ（Ｗ），ａ（Ｂ）に近接して物体Ｐが存在する、と高精度に判断することができる。
【００９６】
以上のような受光回路（４２’：図１０参照）で合成された差分の受光データ（電圧の差分）を標準閾値に対して二値化する処理などは、画像処理部（１５：図１参照）において実行される。このため、受光回路４２’、受光ドライブ回路（１４）、および画像処理部（１５）が、２つの異なる状態に配置された各受光素子Ｓでの受光データの差分に基づいて、表示面近傍の画像認識を行なうための検出部となる。
【００９７】
以上説明したように、本第３実施形態の構成であっても、バックライト１２を点滅させることなく、外部環境の変化や装置の内部構成に起因するノイズを差し引いた受光量によって表示面近傍の画像認識を行なうことが可能である。このため、第１実施形態と同様に、表示領域１１ａ全体の輝度低下やフィリッカーの発生を防止しつつも、高精度に物体Ｐの検出を行うことが可能になる。
【００９８】
＜４．第４実施形態＞
本第４実施形態においては、１つの画素で白表示と黒表示を行なう時間分割により、表示面においての画像検出を行う例を説明する。
【００９９】
［表示装置の全体構成］
第４実施形態が適用される表示装置の全体的な構成は、第１実施形態において図１のブロック図および図２の概略平面図を用いて説明したと同様である。ただし、表示パネル１１のセンサー領域１１ｄ-4における受光回路の構成、および各回路や部分で行う処理内容のみが第１実施形態とは異なる。以下、第１実施形態とは異なる要素について詳細に説明する。
【０１００】
［表示パネルの断面構成］
図１２（１）および図１２（２）には、第４実施形態の表示パネル１１の断面構成として、代表的にセンサー領域１１ｄ-4の断面構成を示す２画素分の断面図を示す。これらの図に示す第４実施形態の表示パネル１１の断面構成は、第１実施形態の表示パネルと同様であり、センサー領域１１ｄにおける各画素ａ内に受光素子Ｓが配置された構成である。他の断面構成部分は、第１実施形態と同様であるため、詳細な説明を省略する。
【０１０１】
［表示パネルの回路構成］
図１３には、上述した表示パネル（１１）内の各画素ａに配置される画素回路４１、および表示パネル（１１）のセンサー領域１１ｄ-4内に配置される受光回路４２”の例を示す。尚、図１２に示した構成要素と同一の構成要素には、同一の符号を付している。
【０１０２】
この図に示す第４実施形態における表示パネル（１１）の回路は、１つの画素ａに対応して１つの発光素子Ｓを設けた受光回路４２”が設けられているところが他の実施形態と異なるところである。
【０１０３】
［表示パネルの駆動方法］
以上のような第４実施形態の表示パネル１１の駆動方法を、図１２および図1３に基づいて説明する。尚、表示領域１１ａに配置された画素の駆動は、第１実施形態と同様であるため、ここでの説明は省略する。
【０１０４】
この図に示す第４実施形態における表示パネル１１の駆動方法は、センサー領域１１ｄ-4に設けられた各画素ａでの表示状態を、白表示（Ｗ）と黒表示（Ｂ）とを交互に繰り返すところが特徴的である。白表示の期間ｆ（Ｗ）と黒表示の期間ｆ（Ｂ）との繰り返しは、例えば表示フレーム期間毎に行なうこととする。
【０１０５】
これにより、図１２（１）に示したように、画素ａが白表示（Ｗ）となった白表示期間ｆ（Ｗ）では、バックライト１２からの照明光ｈが表示面Ａから放出される。また画素ａが黒表示（Ｂ）となった黒表示期間ｆ（Ｂ）では、バックライト１２からの照明光ｈが検光子３１で吸収されて遮断される。そして、照明光ｈが放出された状態と遮断された状態とが、液晶層の駆動によって１つの画素ａ内において連続して交互に実行されることになる。また、隣接する画素ａ間においては、白表示期間ｆ（Ｗ）と黒表示期間ｆ（Ｂ）とを逆にすることで、センサー領域１１ｄの全体が常時安定した中間階調として認識されるようになる。
【０１０６】
尚、以上のような照明光が放出された状態と遮断された状態とを、液晶層の駆動によって画素ａ毎に交互に行なう表示パネル１１の駆動制御は、表示ドライブ回路１３およびアプリケーションプログラム実行部１６を制御部として実行される。
【０１０７】
［表示パネルにおける物体の検知］
以上のような構成の第４実施形態の表示パネル１１においての物体Ｐの検知を、図１２とともに図１４に基づいて説明する。尚、図１４は、センサー領域１１ｄ-4内における画素ａに設けた受光素子Ｓで受光される信号強度Ｌと、これの差分から得られた二値化データのグラフである。
【０１０８】
先ず、図１２（１）および図１４（１）に示すように、表示パネル１１の表示面Ａに画像を表示しているだけの通常状態は以下のようになる。
【０１０９】
すなわち、画素ａにおける白表示期間ｆ（Ｗ）では、バックライト１２からの照明光ｈが表示面Ａから放出された状態となっている。このため、白表示期間ｆ（Ｗ）の受光素子Ｓでは、表示面Ａ側から表示パネル１１内に侵入した『外光Ｈ』、および表示パネル１１内において『散乱した照明光ｈ』が受光される。
【０１１０】
一方、画素ａにおける黒表示期間ｆ（Ｂ）では、バックライト１２からの照明光ｈが検光子３１で吸収されて遮断された状態となっている。このため、黒表示期間ｆ（Ｂ）の受光素子Ｓでは、表示パネル１１内に侵入した『外光Ｈ』、および表示パネル１１内において『散乱した照明光ｈ』が受光素子Ｓで受光される。ただし、黒表示期間ｆ（Ｂ）においては、照明光ｈが検光子３１において吸収されるため、この白表示期間ｆ（Ｗ）の受光素子Ｓと比較してこの吸収分だけ受光光量が少なくなる。
【０１１１】
そして以上のように、各画素ａに設けた受光素子Ｓにおいての各期間ｆ（Ｗ），ｆ（Ｂ）で繰り返し得られる受光データのうち、２つの連続するフレーム期間ｆ（Ｗ），ｆ（Ｂ）において得られた受光データの差分を算出する。
【０１１２】
この差分の受光データは、『外光Ｈ』や『照明光ｈの散乱』といった大部分のノイズ成分が除去された値となる。したがって、このようにノイズ成分が除去された受光データを、適切に設定された標準閾値に対して二値化することにより、センサー領域１１ｄの画素ａに近接して物体Ｐが存在しない、と高精度に判断することができる。
【０１１３】
次に、図１２（２）および図１４（２）に示すように、表示パネル１１の表示面Ａにおける操作表示部１１ｃに指やペン先などの物体Ｐを近接させた操作状態では、操作表示部１１ｃに近接配置されたセンサー領域１１ｄ-4にも物体Ｐが近接されて以下のようになる。
【０１１４】
すなわち、画素ａにおける白表示期間ｆ（Ｗ）では、バックライト１２からの照明光ｈは表示面Ａから放出されて物体Ｐで反射し、表示面Ａ側からの外光Ｈは物体Ｐで遮断される。このため、白表示期間ｆ（Ｗ）の受光素子Ｓでは、『物体Ｐで反射した照明光ｈ』、および表示パネル１１内において『散乱した照明光ｈ』が受光される。
【０１１５】
一方、画素ａにおける黒表示期間ｆ（Ｂ）では、バックライト１２からの照明光ｈが検光子３１で吸収されて遮断され、表示面Ａ側からの外光Ｈも物体Ｐで遮断される。このため、黒表示期間ｆ（Ｂ）の受光素子Ｓでは、表示パネル１１内において『散乱した照明光ｈ』のみが受光される。
【０１１６】
そして以上のように、各画素ａに設けた受光素子Ｓにおいての各期間ｆ（Ｗ），ｆ（Ｂ）で繰り返し得られた受光データのうち、２つの連続するフレーム期間ｆ（Ｗ），ｆ（Ｂ）において得られた受光データの差分データを算出する。
【０１１７】
この差分の受光データは、大部分のノイズ成分が除去されて主に『物体Ｐで反射した照明い光ｈ』に起因する値となる。したがって、このようにノイズ成分が除去された受光データを、適切に設定された標準閾値に対して二値化することにより、センサー領域１１ｄ-4の画素ａに近接して物体Ｐが存在する、と高精度に判断することができる。
【０１１８】
以上のようなセンサー領域１１ｄ-4の各画素ａで得られた受光データを、連続するフレーム期間ｆ（Ｗ），ｆ（Ｂ）の前後で差分処理し、さらに差分処理した受光データを標準閾値に対して二値化する処理などは、画像処理部（１５：図１参照）において実行される。このため、受光回路４２”、受光ドライブ回路（１４）、および画像処理部（１５）が、２つの異なる状態に配置された各受光素子Ｓでの受光データの差分に基づいて、表示面近傍の画像認識を行なうための検出部となる。
【０１１９】
以上説明したように、本第４実施形態であっても、バックライト１２を点滅させることなく、外部環境の変化や装置の内部構成に起因するノイズを差し引いた受光量によって表示面近傍の画像認識を行なうことが可能である。このため、表示領域１１ａ全体の輝度低下やフィリッカーの発生を防止しつつも、高精度に物体Ｐの検出を行うことが可能になる。
【０１２０】
＜適用例＞
以上説明した本発明に係る表示装置は、図１５〜図１９に示す様々な電子機器に適用される。例えば、デジタルカメラ、ノート型パーソナルコンピュータ、携帯電話等の携帯端末装置、ビデオカメラなど、電子機器に入力された映像信号、若しくは、電子機器内で生成した映像信号を表示するあらゆる分野の電子機器の表示装置に適用することが可能である。以下に、本発明が適用される電子機器の一例について説明する。
【０１２１】
図１５は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。
【０１２２】
図１６は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【０１２３】
図１７は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【０１２４】
図１８は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【０１２５】
図１９は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含む。そして、そのディスプレイ１４４やサブディスプレイ１４５として本発明に係る表示装置を用いることにより作製される。
【図面の簡単な説明】
【０１２６】
【図１】本発明が適用される表示装置の構成例を示すブロック図である。
【図２】本発明が適用される表示装置における表示パネルの概略平面図である。
【図３】第１実施形態のセンサー領域の断面構成図である。
【図４】第１実施形態のセンサー領域の各画素に配置される画素回路および受光回路の回路図である。
【図５】第１実施形態の駆動方法を説明する受光素子での信号強度と二値化データのグラフである。
【図６】第２実施形態のセンサー領域の断面構成図である。
【図７】第２実施形態のセンサー領域の各画素に配置される画素回路および受光回路の回路図である。
【図８】第２実施形態の駆動方法を説明する受光素子での信号強度と二値化データのグラフである。
【図９】第３実施形態のセンサー領域の断面構成図である。
【図１０】第３実施形態のセンサー領域の各画素に配置される画素回路および受光回路の回路図である。
【図１１】第３実施形態の駆動方法を説明する受光素子での信号強度と二値化データのグラフである。
【図１２】第４実施形態のセンサー領域の断面構成図である。
【図１３】第４実施形態のセンサー領域の各画素に配置される画素回路および受光回路の回路図である。
【図１４】第４実施形態の駆動方法を説明する受光素子での信号強度と二値化データのグラフである。
【図１５】本発明が適用されるテレビを示す斜視図である。
【図１６】本発明が適用されるデジタルカメラを示す図であり、（Ａ）は表側から見た斜視図、（Ｂ）は裏側から見た斜視図である。
【図１７】本発明が適用されるノート型パーソナルコンピュータを示す斜視図である。
【図１８】本発明が適用されるビデオカメラを示す斜視図である。
【図１９】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【符号の説明】
【０１２７】
１…表示装置、１１，…表示パネル、１１ａ…表示領域、１１ｄ-1，１１ｄ-2，１１ｄ-3，１１ｄ-4，…センサー領域、１２…バックライト、１３…表示ドライブ回路（制御部）、１４…受光ドライブ回路（検出部）、１５…画像処理部（検出部）、１６…アプリケーションプログラム実行部（制御部）、３５…遮光膜、４２，４２’，４２”…受光回路（検出部）、Ａ…表示面、ａ，ａ（Ｗ），ａ（Ｂ）…画素、ｈ…照明光、Ｈ…外光、ＬＣ…液晶層、Ｓ，Ｓ’…受光素子
【図１】
2010152573.tif 000003
【図２】
2010152573.tif 000004
【図３】
2010152573.tif 000005
【図４】
2010152573.tif 000006
【図５】
2010152573.tif 000007
【図６】
2010152573.tif 000008
【図７】
2010152573.tif 000009
【図８】
2010152573.tif 000010
【図９】
2010152573.tif 000011
【図１０】
2010152573.tif 000012
【図１１】
2010152573.tif 000013
【図１２】
2010152573.tif 000014
【図１３】
2010152573.tif 000015
【図１４】
2010152573.tif 000016
【図１５】
2010152573.tif 000017
【図１６】
2010152573.tif 000018
【図１７】
2010152573.tif 000019
【図１８】
2010152573.tif 000020
【図１９】
2010152573.tif 000021